(57)【要約】【課題】発光体が設けられた基板を収納ケース内に収納する場合にも、収納ケース内の空気の膨張にともなうシール性の低下などを抑制した浴室用照明装置を提供する。【解決手段】浴室の壁パネルに設置される浴室用照明装置であって、発光体が設けられた基板と、前記基板を収納するシール性を有する収納ケースと、前記収納ケース内の空間と前記壁パネルの裏側の空間とを連通させる連通配管と、を備えたことを特徴とする浴室用照明装置である。【選択図】図１
2018163792.tif 000002
【特許請求の範囲】
【請求項１】
浴室の壁パネルに設置される浴室用照明装置であって、
発光体が設けられた基板と、
前記基板を収納するシール性を有する収納ケースと、
前記収納ケース内の空間と前記壁パネルの裏側の空間とを連通させる連通配管と、
を備えたことを特徴とする浴室用照明装置。
【請求項２】
前記連通配管は、可撓性を有することを特徴とする請求項１記載の浴室用照明装置。
【請求項３】
前記収納ケース内の空間と前記壁パネルの裏側の空間との間の経路上に設けられ、前記収納ケース内の空間と前記壁パネルの裏側の空間との間での空気の流動を許容しつつ、前記壁パネルの裏側からの虫の侵入を抑制可能な複数の孔を有する虫侵入抑制部材をさらに備えたことを特徴とする請求項１又は２に記載の浴室用照明装置。
【請求項４】
前記虫侵入抑制部材は、前記収納ケース内の空間と前記壁パネルの裏側の空間との間の経路のうち、前記連通配管のみによって囲まれた空間よりも前記収納ケース側又は前記壁パネル側に設けられていることを特徴とする請求項３記載の浴室用照明装置。
【請求項５】
前記収納ケースは、前記連通配管を接続するための接続口を有し、
前記虫侵入抑制部材は、前記接続口内に設けられていることを特徴とする請求項３記載の浴室用照明装置。
【請求項６】
前記虫侵入抑制部材は、弾性を有することを特徴とする請求項３〜５のいずれか１つに記載の浴室用照明装置。
【請求項７】
前記収納ケース内で前記基板と接続され、前記基板に電力を供給するための配線部材をさらに備え、
前記配線部材は、前記連通配管内に挿通され、前記壁パネルの裏側の空間に入り込むことを特徴とする請求項１又は２に記載の浴室用照明装置。
【請求項８】
前記収納ケース内の空間と前記壁パネルの裏側の空間との間の経路上に設けられ、前記収納ケース内の空間と前記壁パネルの裏側の空間との間での空気の流動を許容しつつ、前記壁パネルの裏側からの虫の侵入を抑制可能な複数の孔を有する虫侵入抑制部材をさらに備え、
前記虫侵入抑制部材は、弾性を有するとともに、前記配線部材を挿通するための切り込みを有することを特徴とする請求項７記載の浴室用照明装置。
【発明の詳細な説明】
【技術分野】
【０００１】
本発明の態様は、一般的に、浴室用照明装置に関する。
【背景技術】
【０００２】
浴室の壁パネルに設置される浴室用照明装置（以下、照明装置と称す）が知られている（例えば、特許文献１）。こうした照明装置において、ＬＥＤ（Light Emitting Diode）などの複数の発光体を基板に並べて配置することにより、長尺状の照明装置を構成することが提案されている。このような照明装置を浴室で使用する場合、基板が濡れないようにするために、シール性を確保した収納ケース内に基板を収納する必要がある。
【０００３】
しかしながら、密閉された収納ケース内に基板を収納してしまうと、浴室の室温や発光体の発熱などによって収納ケース内の空気が膨張した際に、収納ケースの破損やシール性の低下が生じてしまう恐れがあった。
【０００４】
このため、照明装置では、発光体が設けられた基板を収納ケース内に収納する場合にも、収納ケース内の空気の膨張にともなうシール性の低下などを抑制できるようにすることが望まれる。
【先行技術文献】
【特許文献】
【０００５】
【特許文献１】特開２００２−１７２０７０号公報
【発明の概要】
【発明が解決しようとする課題】
【０００６】
本発明は、かかる課題の認識に基づいてなされたものであり、発光体が設けられた基板を収納ケース内に収納する場合にも、収納ケース内の空気の膨張にともなうシール性の低下などを抑制した浴室用照明装置を提供することを目的とする。
【課題を解決するための手段】
【０００７】
第１の発明は、浴室の壁パネルに設置される浴室用照明装置であって、発光体が設けられた基板と、前記基板を収納するシール性を有する収納ケースと、前記収納ケース内の空間と前記壁パネルの裏側の空間とを連通させる連通配管と、を備えたことを特徴とする浴室用照明装置である。
【０００８】
この浴室用照明装置によれば、収納ケース内の空間が、壁パネルの裏側の空間と連通配管を介して連通しているため、収納ケース内の空気が膨張したとしても、壁パネルの裏側の空間に空気を逃がすことができる。従って、収納ケース内の空気の膨張にともなう収納ケースの破損やシール性の低下などを抑制することができる。また、浴室では、複数の壁パネルが横並びに配置されることが多く、各壁パネルの表面が面一ではない場合もある。このため、複数の壁パネルに跨って収納ケースを取り付ける場合などには、収納ケースを各壁パネルから離して取り付けることも考えられるが、連通配管を設けることで、収納ケースを壁パネルから離したとしても、収納ケース内の空間と壁パネルの裏側の空間とを適切に連通させることができる。
【０００９】
第２の発明は、第１の発明において、前記連通配管は、可撓性を有することを特徴とする浴室用照明装置である。
【００１０】
この浴室用照明装置によれば、連通配管が可撓性を有することにより、連通配管を接続するための壁パネルの開口の位置がずれていた場合などにも、壁パネルの開口にさらなる加工などを加えることなく、壁パネルの開口に連通配管を接続することができる。
【００１１】
第３の発明は、第１又は第２の発明において、前記収納ケース内の空間と前記壁パネルの裏側の空間との間の経路上に設けられ、前記収納ケース内の空間と前記壁パネルの裏側の空間との間での空気の流動を許容しつつ、前記壁パネルの裏側からの虫の侵入を抑制可能な複数の孔を有する虫侵入抑制部材をさらに備えたことを特徴とする浴室用照明装置である。
【００１２】
この浴室用照明装置によれば、虫侵入抑制部材を設けることにより、収納ケース内の空間と壁パネルの裏側の空間とを連通させつつ、壁パネルの裏側の空間からの虫の侵入を抑制することができる。従って、収納ケース内に侵入した虫の視認による美観の低下や、収納ケース内に侵入した虫により光が遮られることによる光量の低下などを抑制することができる。例えば、シール性を有する収納ケースを分解できないようにした場合に、特に好適である。
【００１３】
第４の発明は、第３の発明において、前記虫侵入抑制部材は、前記収納ケース内の空間と前記壁パネルの裏側の空間との間の経路のうち、前記連通配管のみによって囲まれた空間よりも前記収納ケース側又は前記壁パネル側に設けられていることを特徴とする浴室用照明装置である。
【００１４】
この浴室用照明装置によれば、連通配管のみによって囲まれた空間以外の位置に虫侵入抑制部材を配置することにより、連通配管内に虫侵入抑制部材を押し込む必要がなく、虫侵入抑制部材の取り付けを容易にすることができる。また、例えば、可撓性を有する連通配管内に虫侵入抑制部材を配置した場合、施工時の連通配管の撓みにより、虫侵入抑制部材が適切な位置に配置されなくなってしまうことが懸念される。すなわち、虫侵入抑制部材と連通配管の内壁との間に隙間が生じ、虫の侵入を抑制する効果が低下してしまうことが懸念される。連通配管のみによって囲まれた空間以外の位置に虫侵入抑制部材を配置することにより、連通配管の撓みなどの影響を受けることなく、虫侵入抑制部材を適切に取り付けることができ、虫の侵入をより確実に抑制することができる。
【００１５】
第５の発明は、第３の発明において、前記収納ケースは、前記連通配管を接続するための接続口を有し、前記虫侵入抑制部材は、前記接続口内に設けられていることを特徴とする浴室用照明装置である。
【００１６】
この浴室用照明装置によれば、収納ケース側の接続口内に虫侵入抑制部材を設けることにより、発光体から照射された光が連通配管側に漏れ出てしまうことを抑制することができる。これにより、意図しない部分から光が漏れ、美観が低下してしまうことを抑制することができる。また、連通配管を介して壁パネルの裏側に光が漏れ、虫を引き寄せてしまうことを抑制することができる。
【００１７】
第６の発明は、第３〜第５のいずれか１つの発明において、前記虫侵入抑制部材は、弾性を有することを特徴とする浴室用照明装置である。
【００１８】
この浴室用照明装置によれば、虫侵入抑制部材を圧入によって取り付けることができ、隙間を埋めて虫の侵入をより確実に抑制できるとともに、別の部材などを用いて虫侵入抑制部材を固定したりする必要がなく、虫侵入抑制部材の着脱を容易にすることができる。
【００１９】
第７の発明は、第１又は第２の発明において、前記収納ケース内で前記基板と接続され、前記基板に電力を供給するための配線部材をさらに備え、前記配線部材は、前記連通配管内に挿通され、前記壁パネルの裏側の空間に入り込むことを特徴とする浴室用照明装置である。
【００２０】
この浴室用照明装置によれば、配線部材を通すための別の配管などを設ける必要がなく、簡単な構成で基板に電力を供給することができる。
【００２１】
第８の発明は、第７の発明において、前記収納ケース内の空間と前記壁パネルの裏側の空間との間の経路上に設けられ、前記収納ケース内の空間と前記壁パネルの裏側の空間との間での空気の流動を許容しつつ、前記壁パネルの裏側からの虫の侵入を抑制可能な複数の孔を有する虫侵入抑制部材をさらに備え、前記虫侵入抑制部材は、弾性を有するとともに、前記配線部材を挿通するための切り込みを有することを特徴とする浴室用照明装置である。
【００２２】
この浴室用照明装置によれば、虫侵入抑制部材に切り込みを設けることにより、配線部材を通し易くすることができる。また、虫侵入抑制部材が弾性を有することにより、虫侵入抑制部材と配線部材との間に隙間が生じてしまうことも抑制することができる。
【発明の効果】
【００２３】
本発明の態様によれば、発光体が設けられた基板を収納ケース内に収納する場合にも、収納ケース内の空気の膨張にともなうシール性の低下などを抑制した浴室用照明装置が提供される。
【図面の簡単な説明】
【００２４】
【図１】実施形態に係る浴室用照明装置を模式的に表す斜視図である。
【図２】実施形態に係る浴室用照明装置を模式的に表す分解斜視図である。
【図３】実施形態に係る浴室用照明装置を模式的に表す説明図である。
【図４】実施形態に係る浴室用照明装置の一部を模式的に表す斜視図である。
【図５】浴室ユニットを模式的に表す斜視図である。
【図６】水栓装置を模式的に表す分解斜視図である。
【図７】水栓装置を模式的に表す断面図である。
【発明を実施するための形態】
【００２５】
以下、本発明の実施の形態について図面を参照しつつ説明する。なお、各図面中、同様の構成要素には同一の符号を付して詳細な説明は適宜省略する。  
図１は、実施形態に係る浴室用照明装置を模式的に表す斜視図である。  
図２は、実施形態に係る浴室用照明装置を模式的に表す分解斜視図である。  
図３は、実施形態に係る浴室用照明装置を模式的に表す説明図である。  
図１〜図３に表したように、浴室用照明装置１０（以下、照明装置１０と称す）は、基板１２と、収納ケース１４と、連通配管１６と、を備える。照明装置１０は、浴室の壁パネルＷＰに設置される。照明装置１０は、浴室の壁パネルＷＰに取り付けて使用され、浴室内の空間を照らす。
【００２６】
基板１２には、光（可視光）を照射する発光体１８が設けられている。基板１２は、横長な平板状である。基板１２は、表面１２ａに並べて設けられた複数の発光体１８を有する。各発光体１８は、少なくとも横方向に並べて配置される。これにより、基板１２及び各発光体１８は、横方向に直線状に延びた幅広な光を照射する光源を形成する。基板１２及び各発光体１８は、いわゆるライン照明である。
【００２７】
発光体１８には、例えば、ＬＥＤ（Light Emitting Diode）、ＬＤ（Laser Diode）、又はＯＬＥＤ（Organic Light Emitting Diode）などが用いられる。例えば、有機ＥＬ（Electro-Luminescence）素子などの面発光型の素子を発光体１８として用いる場合には、発光体１８は、１つでもよい。発光体１８は、上記に限ることなく、任意の素子でよい。また、基板１２の形状は、上記に限ることなく、任意の形状でよい。各発光体１８の配列は、上記に限ることなく、任意の配列でよい。基板１２及び発光体１８は、例えば、所定の面積の発光面から光を照射する面照明でもよい。
【００２８】
収納ケース１４は、シール性を有する空間ＳＰ１を有し、空間ＳＰ１内に基板１２を収納する。収納ケース１４は、例えば、ケース本体２０と、キャップ２２、２４と、を有する。ケース本体２０は、横方向に延びた断面略矩形の筒状である。キャップ２２は、ケース本体２０の横方向の一端に取り付けられ、ケース本体２０の一方の開口２０ａを塞ぐ。キャップ２４は、ケース本体２０の横方向の他端に取り付けられ、ケース本体２０の他方の開口２０ｂを塞ぐ。これにより、ケース本体２０と各キャップ２２、２４とによってシール性を有する空間ＳＰ１が形成される。
【００２９】
収納ケース１４は、換言すれば、筒状のケース本体２０内に基板１２を収納する。ケース本体２０は、透光性を有する。各発光体１８から照射された光は、ケース本体２０を透過して外部に出射される。
【００３０】
照明装置１０は、例えば、放熱板３０を備える。放熱板３０は、基板１２を支持する。放熱板３０は、例えば、基板１２の各発光体１８が設けられた表面１２ａと反対側の面に接触することにより、基板１２と熱的に結合する。これにより、放熱板３０は、各発光体１８の点灯にともなって発生する熱を放熱する。放熱板３０には、例えば、アルミニウムや銅などの熱伝導率の高い金属材料などが用いられる。基板１２は、放熱板３０に支持された状態で、収納ケース１４内に収納される。放熱板３０は、例えば、収納ケース１４内の所定の位置に基板１２を支持する支持体としても機能する。例えば、発光体１８に有機ＥＬ素子などの発熱量の少なくい素子を用いる場合などには、必ずしも放熱板３０を設けなくてもよい。
【００３１】
また、照明装置１０は、例えば、収納ケース１４を浴室内の他の部材などに取り付けるための取付部材３２をさらに備える。取付部材３２は、収納ケース１４を前後に挟むことによって、収納ケース１４を支持する。また、取付部材３２は、収納ケース１４の上面を覆う。取付部材３２は、例えば、下方に開口した断面略Ｕ字状の部材である。取付部材３２には、例えば、鉄、ステンレス、又はアルミニウムなどの金属材料が用いられる。取付部材３２は、遮光性を有する。取付部材３２は、各発光体１８から照射された光に対して光反射性を有する。これにより、取付部材３２は、各発光体１８から照射された光を下方のみに向けて出射させる。
【００３２】
取付部材３２の形状は、上記に限ることなく、収納ケース１４を浴室内の他の部材などに取り付け可能な任意の形状でよい。また、各発光体１８の光の照射方向は、下方に限ることなく、前方などでもよい。例えば、収納ケース１４自体で他の部材に取り付けが可能な場合には、取付部材３２は、省略可能である。放熱板３０及び取付部材３２は、必要に応じて設けられ、省略可能である。
【００３３】
連通配管１６は、収納ケース１４内の空間ＳＰ１と、壁パネルＷＰの裏側の空間ＳＰ２と、を連通させる。
【００３４】
キャップ２２は、連通配管１６を接続するための接続口２２ａと、ケース本体２０を接続するための接続口２２ｂと、接続口２２ａと接続口２２ｂとを接続する管路２２ｃと、を有する。キャップ２２は、例えば、略Ｌ字状に屈曲した配管状である。キャップ２２は、接続口２２ｂをケース本体２０の一方の開口２０ａに挿し込むことにより、ケース本体２０の一方の開口２０ａを塞ぐとともに、管路２２ｃを筒状のケース本体２０の内部の空間２０ｃと連通させる。収納ケース１４の内部の空間ＳＰ１は、例えば、ケース本体２０の内部の空間２０ｃと、キャップ２２の管路２２ｃと、によって構成される。
【００３５】
連通配管１６の一端は、接続口２２ａに接続される。これにより、連通配管１６の内部の空間１６ａが、収納ケース１４の内部の空間ＳＰ１と連通する。収納ケース１４と連通配管１６との接続は、キャップ２２の接続口２２ａに限定されるものではない。例えば、ケース本体２０に接続口を設け、ケース本体２０に連通配管１６の一端を接続することにより、連通配管１６の内部の空間１６ａと収納ケース１４の内部の空間ＳＰ１とを連通させてもよい。
【００３６】
照明装置１０は、例えば、接続部材３４と、ホースバンド３６、３８と、をさらに備える。接続部材３４は、連通配管１６と浴室の壁パネルＷＰとの接続に用いられる。接続部材３４は、筒状の本体部３４ａと、本体部３４ａの外周面から径を大きくするように外側に突出したフランジ部３４ｂと、を有する。
【００３７】
壁パネルＷＰには、接続部材３４の本体部３４ａの形状に対応した開口ＷＰａが設けられる。接続部材３４は、浴室の室内側から本体部３４ａの後端部分を壁パネルＷＰの開口ＷＰａに挿通する。そして、接続部材３４は、フランジ部３４ｂで開口ＷＰａを塞ぎ、フランジ部３４ｂの部分で壁パネルＷＰにネジ止めされることなどにより、壁パネルＷＰに取り付けられる。
【００３８】
連通配管１６の他端は、接続部材３４の本体部３４ａに接続される。これにより、ケース本体２０の内部の空間２０ｃから、キャップ２２の管路２２ｃ、連通配管１６、及び接続部材３４の本体部３４ａを介して壁パネルＷＰの裏側の空間ＳＰ２へと至る経路が形成され、連通配管１６によって、収納ケース１４内の空間ＳＰ１と壁パネルＷＰの裏側の空間ＳＰ２とが連通する。
【００３９】
連通配管１６は、可撓性を有する。連通配管１６には、例えば、ゴムチューブや金属製のフレキシブルホースなどが用いられる。但し、連通配管１６は、必ずしも可撓性を有していなくてもよい。連通配管１６は、金属や樹脂などを用いたリジッドな配管などでもよい。
【００４０】
ホースバンド３６は、連通配管１６とキャップ２２の接続口２２ａとの接続部に取り付けられ、連通配管１６の上から連通配管１６及び接続口２２ａを締め付けることにより、連通配管１６の抜けを抑制する。ホースバンド３８は、連通配管１６と接続部材３４の本体部３４ａとの接続部に取り付けられ、連通配管１６の上から連通配管１６及び本体部３４ａを締め付けることにより、連通配管１６の抜けを抑制する。
【００４１】
照明装置１０は、虫侵入抑制部材４０と、配線部材４２と、をさらに備える。虫侵入抑制部材４０は、収納ケース１４内の空間ＳＰ１と壁パネルＷＰの裏側の空間ＳＰ２との間の経路上に設けられる。虫侵入抑制部材４０は、収納ケース１４内の空間ＳＰ１と壁パネルＷＰの裏側の空間ＳＰ２との間での空気の流動を許容しつつ、壁パネルＷＰの裏側から虫の侵入を抑制可能な複数の孔４０ａを有する。
【００４２】
虫侵入抑制部材４０は、弾性を有する。虫侵入抑制部材４０には、例えば、ナイロンなどの化学繊維を押し固めた不織布が用いられる。図３では、便宜的に孔４０ａを直線状に図示している。虫侵入抑制部材４０に不織布を用いた場合、孔４０ａは、実際には、押し固められた繊維の隙間を縫うように延びる複雑な形状である。
【００４３】
虫侵入抑制部材４０は、必ずしも弾性を有していなくてもよい。虫侵入抑制部材４０は、例えば、複数の貫通孔が設けられた板状又はブロック状の硬質な部材でもよい。あるいは、虫侵入抑制部材４０は、薄いフィルム状の部材などでもよい。虫侵入抑制部材４０の形状及び材料は、空気を通しつつ、虫の侵入を抑制可能な任意の形状及び材料でよい。孔４０ａの空気の通る方向と直交する方向の幅（開口幅）は、例えば、１μｍ以上２ｍｍ以下である。これにより、適切に空気を通しつつ、点灯時に収納ケース１４の外側から影となって視認されてしまうような比較的大きなサイズの虫の侵入を適切に抑制することができる。
【００４４】
虫侵入抑制部材４０は、例えば、収納ケース１４内の空間ＳＰ１と壁パネルＷＰの裏側の空間ＳＰ２との間の経路のうち、連通配管１６のみによって囲まれた空間１６ａよりも収納ケース１４側又は壁パネルＷＰ側に設けられる。
【００４５】
虫侵入抑制部材４０は、例えば、収納ケース１４のキャップ２２の接続口２２ａ内に設けられる。これとは反対に、例えば、接続部材３４の本体部３４ａ内に虫侵入抑制部材４０を設けてもよい。あるいは、連通配管１６のみによって囲まれた空間１６ａ内に虫侵入抑制部材４０を設けてもよい。虫侵入抑制部材４０の位置は、収納ケース１４内の空間ＳＰ１と壁パネルＷＰの裏側の空間ＳＰ２との間の経路上の任意の位置でよい。
【００４６】
配線部材４２は、収納ケース１４内で基板１２と接続され、基板１２に電力を供給するための配線である。配線部材４２は、連通配管１６内に挿通され、壁パネルＷＰの裏側の空間ＳＰ２に入り込む。より詳しくは、配線部材４２は、ケース本体２０、キャップ２２、連通配管１６、及び接続部材３４を介して、壁パネルＷＰの裏側の空間ＳＰ２に入り込む。
【００４７】
配線部材４２の一端４２ａは、収納ケース１４内（ケース本体２０内）において基板１２に接続される。配線部材４２の他端４２ｂは、壁パネルＷＰの裏側の空間ＳＰ２内に位置する。配線部材４２の他端４２ｂは、例えば、壁パネルＷＰの裏側の空間ＳＰ２内において、電源装置ＰＵに接続される。電源装置ＰＵは、配線部材４２を介して基板１２に電力を供給する。各発光体１８は、例えば、電源装置ＰＵからの電力の供給に応じて点灯し、電源装置ＰＵからの電力の供給の停止に応じて消灯する。
【００４８】
図４は、実施形態に係る浴室用照明装置の一部を模式的に表す斜視図である。  
図４に表したように、虫侵入抑制部材４０は、配線部材４２を挿通するための切り込み４０ｂを有する。虫侵入抑制部材４０の空気の通る方向と直交する方向の幅（直径）は、キャップ２２の接続口２２ａの開口の幅よりも僅かに大きい。これにより、虫侵入抑制部材４０は、圧入によって接続口２２ａ内に取り付けられる。図４では、便宜的に、切り込み４０ｂを僅かに開いた状態で図示している。実際には、切り込み４０ｂは、虫侵入抑制部材４０を接続口２２ａ内に圧入することによって閉じられる。従って、切り込み４０ｂを設けた場合にも、切り込み４０ｂからの虫の侵入が抑制される。
【００４９】
図５は、浴室ユニットを模式的に表す斜視図である。  
図５は、換言すれば、照明装置１０の使用例を表す図面である。  
図５に表したように、浴室ユニット１００は、浴槽１０２と、洗い場床１０４と、水栓装置１０６と、洗面器カウンタ１０８と、鏡１１０と、壁パネルＷＰと、を備える。
【００５０】
洗い場床１０４は、浴槽１０２に隣接して設けられる。壁パネルＷＰは、浴槽１０２及び洗い場床１０４のそれぞれの側方に隣接して設けられる。浴室ユニット１００は、例えば、浴槽１０２、洗い場床１０４、及び周囲の壁パネルＷＰなどをユニット化した、いわゆるユニットバスやシステムバスである。
【００５１】
水栓装置１０６、洗面器カウンタ１０８、及び鏡１１０は、壁パネルＷＰに取り付けられる。洗面器カウンタ１０８は、洗面器やシャンプーのボトルなどを載置可能とする。洗面器カウンタ１０８は、例えば、洗い場床１０４に置かれた風呂椅子などに腰掛けた状態の使用者に対し、載置した洗面器などが使用し易い高さに設けられる。
【００５２】
水栓装置１０６は、洗面器カウンタ１０８よりも上方に設けられる。水栓装置１０６は、例えば、洗面器カウンタ１０８の上に載置された洗面器に向けて水を吐止水する。また、水栓装置１０６は、横方向に延び、上部にシャンプーのボトルなどの物品を載置可能としている。水栓装置１０６は、換言すれば、水栓カウンタである。
【００５３】
鏡１１０は、例えば、水栓装置１０６よりも上方に設けられ、洗い場床１０４に置かれた風呂椅子などに腰掛けた状態の使用者が、自身の顔などを確認できるようにする。
【００５４】
浴室ユニット１００は、水栓装置１０６に設けられた照明装置１０ａと、洗面器カウンタ１０８に設けられた照明装置１０ｂと、を備える。照明装置１０ａ及び照明装置１０ｂは、横方向の長さが異なるだけで、構成は、図１〜図４に関して説明した照明装置１０と同様である。
【００５５】
照明装置１０ａは、水栓装置１０６に設けられ、水栓装置１０６から下方に向けて光を照射することにより、カウンター状の水栓装置１０６の下方に暗がりが生じてしまうことを抑制する。同様に、照明装置１０ｂは、洗面器カウンタ１０８に設けられ、洗面器カウンタ１０８から下方に向けて光を照射することにより、洗面器カウンタ１０８の下方に暗がりが生じてしまうことを抑制する。
【００５６】
照明装置１０（１０ａ、１０ｂ）を設ける部材は、水栓装置１０６や洗面器カウンタ１０８に限ることなく、浴室ユニット１００に付属して設けられる任意の付属部材でよい。また、照明装置１０は、付属部材の下方を照らすものに限ることなく、例えば、壁パネルＷＰの前方に向けて光を照射することにより、浴室ユニット１００内の空間を照明するものなどでもよい。
【００５７】
以下では、具体例の一例として、照明装置１０ａが設けれた水栓装置１０６について説明する。  
図６は、水栓装置を模式的に表す分解斜視図である。  
図７は、水栓装置を模式的に表す断面図である。  
図６及び図７に表したように、水栓装置１０６は、例えば、天板１２０と、複数の支持体１２２と、水栓機能部１２４と、補強板１２６〜１２８と、側方カバー１３０、１３１と、カバー１３２と、下側カバー１３４と、を有する。
【００５８】
天板１２０は、横方向に延びた略矩形の平板状の部材である。天板１２０は、水栓装置１０６の略水平な上面を形成する。水栓装置１０６は、天板１２０の上に、シャンプーのボトルなどの物品を載置可能とする。
【００５９】
複数の支持体１２２は、横方向に並べて壁パネルＷＰに取り付けられ、天板１２０を支持する。各支持体１２２は、例えば、天板１２０を壁パネルＷＰから僅かに離間させた状態で支持する。なお、図６及び図７では、便宜的に、壁パネルＷＰの一部分のみを図示している。
【００６０】
水栓機能部１２４は、例えば、湯水を吐水する吐水口、吐水口からの湯水の吐止水を切り替えるための操作部、及び、吐水口から吐水される湯水の温度及び流量を調節するための調節部などを有する。水栓機能部１２４は、各支持体１２２のいずれかに取り付けられることにより、各支持体１２２に支持される。
【００６１】
補強板１２６〜１２８は、各支持体１２２の間に架け渡されるように、各支持体１２２の上に設けられる。天板１２０は、補強板１２６〜１２８の上に設けられる。これにより、補強板１２６〜１２８は、天板１２０の撓みを抑制する。
【００６２】
側方カバー１３０、１３１は、例えば、補強板１２６の両側端に取り付けられ、補強板１２６の側方に空く隙間を塞ぐ。カバー１３２は、各支持体１２２の上に取り付けられ、天板１２０と壁パネルＷＰとの間の部分の各支持体１２２の上方を覆うとともに、天板１２０と壁パネルＷＰとの間の部分の各支持体１２２の側方を覆う。
【００６３】
下側カバー１３４は、各支持体１２２の下方に取り付けられ、天板１２０の下方を覆う。すなわち、下側カバー１３４は、各支持体１２２や水栓機能部１２４などが下方に露出することを抑制する。また、下側カバー１３４は、開口部１３４ａを有する。開口部１３４ａは、下側カバー１３４の下端部に設けられ、壁パネルＷＰとの間に隙間を形成する。
【００６４】
照明装置１０ａは、各支持体１２２の下方に取り付けられる。照明装置１０ａは、例えば、取付部材３２を各支持体１２２にネジ止めすることにより、各支持体１２２の下方に取り付けられる。照明装置１０ａは、例えば、天板１２０と下側カバー１３４とで囲まれた空間内に配置される。照明装置１０ａは、下側カバー１３４の開口部１３４ａと対向するように各支持体１２２の下方に取り付けられる。これにより、照明装置１０ａは、下側カバー１３４の開口部１３４ａを介して下方に向けて光を照射する。これにより、水栓装置１０６から下方に向けて光を照射し、カウンター状の水栓装置１０６の下方に暗がりが生じてしまうことを抑制することができる。なお、照明装置１０ａの下端は、例えば、下側カバー１３４の開口部１３４ａから僅かに下方に突出していてもよい。
【００６５】
また、照明装置１０ａの連通配管１６及び接続部材３４は、前方から見た状態において水栓装置１０６に隠れる位置に配置される。連通配管１６の少なくとも一部は、天板１２０と下側カバー１３４とで囲まれた空間内に配置される。これにより、収納ケース１４内の空間ＳＰ１と、壁パネルＷＰの裏側の空間ＳＰ２と、を連通配管１６で連通させる場合にも、浴室ユニット１００の美観の低下を抑制することができる。
【００６６】
以上、説明したように、本実施形態に係る照明装置１０によれば、収納ケース１４内の空間ＳＰ１が、壁パネルＷＰの裏側の空間ＳＰ２と連通配管１６を介して連通しているため、収納ケース１４内の空気が膨張したとしても、壁パネルＷＰの裏側の空間ＳＰ２に空気を逃がすことができる。従って、収納ケース１４内の空気の膨張にともなう収納ケース１４の破損やシール性の低下などを抑制することができる。また空気が収縮したとしても、壁パネルＷＰの裏側の空気を吸うため、壁パネルＷＰの表側の湿った空気を吸うことを抑制でき、発光体１８等の破損を抑制することができる。
【００６７】
また、浴室では、複数の壁パネルＷＰが横並びに配置されることが多く、各壁パネルＷＰの表面が面一ではない場合もある。このため、複数の壁パネルＷＰに跨って収納ケース１４を取り付ける場合などには、収納ケース１４を各壁パネルＷＰから離して取り付けることも考えられる。例えば、上記実施形態では、照明装置１０ａが、各支持体１２２の下方に取り付けられ、収納ケース１４が壁パネルＷＰから離れて取り付けられている。照明装置１０では、連通配管１６を設けることで、収納ケース１４を壁パネルＷＰから離したとしても、収納ケース１４内の空間ＳＰ１と壁パネルＷＰの裏側の空間ＳＰ２とを適切に連通させることができる。
【００６８】
また、照明装置１０では、連通配管１６が、可撓性を有する。これにより、連通配管１６を接続するための壁パネルＷＰの開口ＷＰａの位置がずれていた場合などにも、壁パネルＷＰの開口ＷＰａにさらなる加工などを加えることなく、壁パネルＷＰの開口ＷＰａに連通配管１６を接続することができる。
【００６９】
また、照明装置１０では、虫侵入抑制部材４０を設けることにより、収納ケース１４内の空間ＳＰ１と壁パネルＷＰの裏側の空間ＳＰ２とを連通させつつ、壁パネルＷＰの裏側の空間ＳＰ２からの虫の侵入を抑制することができる。従って、収納ケース１４内に侵入した虫の視認による美観の低下や、収納ケース１４内に侵入した虫により光が遮られることによる光量の低下などを抑制することができる。例えば、シール性を有する収納ケース１４を分解できないようにした場合に、特に好適である。
【００７０】
また、照明装置１０では、連通配管１６のみによって囲まれた空間１６ａ以外の位置に虫侵入抑制部材４０を配置することにより、連通配管１６内に虫侵入抑制部材４０を押し込む必要がなく、虫侵入抑制部材４０の取り付けを容易にすることができる。また、例えば、可撓性を有する連通配管１６内に虫侵入抑制部材４０を配置した場合、施工時の連通配管１６の撓みにより、虫侵入抑制部材４０が適切な位置に配置されなくなってしまうことが懸念される。すなわち、虫侵入抑制部材４０と連通配管１６の内壁との間に隙間が生じ、虫の侵入を抑制する効果が低下してしまうことが懸念される。連通配管１６のみによって囲まれた空間１６ａ以外の位置に虫侵入抑制部材４０を配置することにより、連通配管１６の撓みなどの影響を受けることなく、虫侵入抑制部材４０を適切に取り付けることができ、虫の侵入をより確実に抑制することができる。
【００７１】
また、照明装置１０では、収納ケース１４側の接続口２２ａ内に虫侵入抑制部材４０を設けることにより、発光体１８から照射された光が連通配管１６側に漏れ出てしまうことを抑制することができる。これにより、意図しない部分から光が漏れ、美観が低下してしまうことを抑制することができる。また、連通配管１６を介して壁パネルＷＰの裏側に光が漏れ、虫を引き寄せてしまうことを抑制することができる。
【００７２】
また、壁パネルＷＰ側に虫侵入抑制部材４０を設ける場合と比べて、連通配管１６と壁パネルＷＰとの接続の際やメンテナンスの際などに、意図せず虫侵入抑制部材４０に触れてしまい、虫侵入抑制部材４０が適切な位置からずれてしまうことなどを抑制することができる。例えば、照明装置１０や水栓装置１０６のメンテナンスの際に、配線部材４２を電源装置ＰＵに対して着脱する可能性がある。この際、壁パネルＷＰ側に虫侵入抑制部材４０を設けていると、配線部材４２の着脱の際に、配線部材４２の操作にともなって、電源装置ＰＵ側にある虫侵入抑制部材４０近傍の配線部材４２が大きく変位しようとして、虫侵入抑制部材４０の位置がずれてしまう可能性もある。収納ケース１４側の接続口２２ａ内に虫侵入抑制部材４０を設けることにより、虫侵入抑制部材４０近傍の配線部材４２の変位が小さくなるため、こうした配線部材４２の操作にともなう虫侵入抑制部材４０の位置ずれなども抑制することができる。
【００７３】
また、照明装置１０では、虫侵入抑制部材４０が、弾性を有する。これにより、虫侵入抑制部材４０を圧入によって取り付けることができ、隙間を埋めて虫の侵入をより確実に抑制できるとともに、別の部材などを用いて虫侵入抑制部材４０を固定したりする必要がなく、虫侵入抑制部材４０の着脱を容易にすることができる。
【００７４】
また、照明装置１０では、配線部材４２が、連通配管１６内に挿通され、壁パネルＷＰの裏側の空間ＳＰ２に入り込む。これにより、配線部材４２を通すための別の配管などを設ける必要がなく、簡単な構成で基板１２に電力を供給することができる。
【００７５】
また、照明装置１０では、虫侵入抑制部材４０に切り込み４０ｂを設けることにより、配線部材４２を通し易くすることができる。また、虫侵入抑制部材４０が弾性を有することにより、虫侵入抑制部材４０と配線部材４２との間に隙間が生じてしまうことも抑制することができる。
【００７６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、照明装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７７】
１０、１０ａ、１０ｂ 浴室用照明装置、  １２ 基板、  １４ 収納ケース、  １６ 連通配管、  １８ 発光体、  ２０ ケース本体、  ２２、２４ キャップ、  ３０ 放熱板、  ３２ 取付部材、  ３４ 接続部材、  ３６、３８ ホースバンド、  ４０ 虫侵入抑制部材、  ４２ 配線部材、  １００ 浴室ユニット、  １０２ 浴槽、  １０４ 洗い場床、  １０６ 水栓装置、  １０８ 洗面器カウンタ、  １１０ 鏡、  １２０ 天板、  １２２ 支持体、  １２４ 水栓機能部、  １２６〜１２８ 補強板、  １３０、１３１ 側方カバー、  １３２ カバー、  １３４ 下側カバー、  ＰＵ 電源装置、  ＳＰ１、ＳＰ２ 空間、  ＷＰ 壁パネル
【図１】
2018163792.tif 000003
【図２】
2018163792.tif 000004
【図３】
2018163792.tif 000005
【図４】
2018163792.tif 000006
【図５】
2018163792.tif 000007
【図６】
2018163792.tif 000008
【図７】
2018163792.tif 000009